(57)【要約】【課題】蛍光管等の光源の光を有効利用する液晶表示装置を提供することにある。【解決手段】反射シート１０の第１壁状反射面１０Ｒ１は、少なくとも、第１最外反射端Ｃ１（第１壁状反射面１０Ｒにて、最も液晶表示パネル１１に近い端）に到達する最外の蛍光管２２からの光を、液晶表示パネル１１の有効領域部ＶＡに向かって反射進行させる曲面である。【選択図】図１
2009116037.tif 000002
【特許請求の範囲】
【請求項１】
並列する線状光源と、
上記線状光源からの光を反射させる反射部材と、
上記反射部材からの光を画像光として外部に出射する出射する有効領域部、および、
上記有効領域部以外でかつ外周縁部分となる無効領域部を含む液晶表示パネルと、
を含む液晶表示装置にあって、
最外に位置する上記線状光源を最外線状光源、
上記最外線状光源の延び方向に沿って延びるとともに、上記液晶表示パネルに向いて立ち上がり、最外線状光源の光を反射させる上記反射部材の一面を第１壁状反射面、
上記第１壁状反射面にて、最も液晶表示パネルに近い端を第１最外反射端、
とすると、
上記の第１壁状反射面は、
線状光源の並列方向に沿い、かつ線状光源の延び方向に対して交差する断面にて、上記最外線状光源を焦点とする２次曲線状であり、
少なくとも、上記第１最外反射端に到達する最外線状光源からの光を、上記有効領域部に向かって反射進行させる曲面である液晶表示装置。
【請求項２】
上記２次曲線状は放物線状であり、
上記断面にて、上記第１最外反射端を中心とした直交座標系を規定して、上記液晶表示パネルに平行な座標をＸ軸、そのＸ軸に直交する軸をＹ軸とし、
このＸＹ座標系を回転させた座標系をＸ’Ｙ’座標系とすると、
上記第１壁状反射面［Ｒ（Ｘ’，Ｙ’）］は、以下の式（１）にて示される形状の一部分であり、
上記最外線状光源の位置［Ｆ’（Ｘ’，Ｙ’）］は、以下の式（２）にて示される請求項１に記載の液晶表示装置。
【数１】
2009116037.tif 000020
【数２】
2009116037.tif 000021
ただし、
Ｈ        ：上記断面において、上記第１壁状反射面に対する底である底反射面から
上記第１最外反射端に至るまでの間でのＹ軸に沿う間隔
ｐ        ：上記断面において、上記第１壁状反射面に対する底である底反射面から                上記焦点（ただし、回転変換前）に至るまでの間でのＹ軸に沿う間隔  
ｈ        ：上記断面において、上記第１最外反射端から上記液晶表示パネルに介在                する遮光部材の遮光面に至るまでの間でのＹ軸に沿う間隔
ｗ１      ：上記断面において、上記有効領域部と上記無効領域部との境界に重なる                上記遮光部材の一端から上記第１最外反射端に至るまでの間でのＸ軸に                沿う間隔
θ１      ：上記断面において、上記有効領域部と上記無効領域部との境界に重なる
上記遮光部材の一端から上記第１最外反射端に至る第１仮想線と、Ｙ軸                との間で形成される最小角度
である。
【請求項３】
上記反射部材は、上記線状光源によって覆われる反射シート、または、上記線状光源を収容する収容シャーシである請求項１または２に記載の液晶表示装置。
【請求項４】
並列する線状光源と、
上記線状光源からの光を反射させる反射部材と、
上記反射部材からの光を画像光として外部に出射する出射する有効領域部、および、
上記有効領域部以外でかつ外周縁部分となる無効領域部を含む液晶表示パネルと、
を含む液晶表示装置にあって、
上記線状光源は両端以外を蛍光体で覆われており、その線状光源における上記両端と上記蛍光体との境目を蛍光発光端、
上記線状光源の並列方向に沿って延びるとともに、上記液晶表示パネルに向いて立ち上がり、並列する線状光源の上記蛍光発光端の光を反射させる上記反射部材の一面を第２壁状反射面、
上記第２壁状反射面にて、最も液晶表示パネルに近い端を第２最外反射端、
とすると、
上記の第２壁状反射面は、
線状光源の延び方向に沿い、かつ線状光源の並列方向に対して交差する断面にて、上記蛍光発光端を焦点とする２次曲線状であり、
少なくとも、上記第２最外反射端に到達する蛍光発光端からの光を、上記有効領域部に向かって反射進行させる曲面である液晶表示装置。
【請求項５】
上記２次曲線状は放物線状であり、
上記断面にて、上記第２最外反射端を中心とした直交座標系を規定して、上記液晶表示パネルに平行な座標をＪ軸、そのＪ軸に直交する軸をＫ軸とし、
このＪＫ座標系を回転させた座標系をＪ’Ｋ’座標系とすると、
上記第２壁状反射面［Ｒ（Ｊ’，Ｋ’）］は、以下の式（３）にて示される形状の一部分であり、
上記蛍光発光端の位置［Ｆ’（Ｊ’，Ｋ’）］は、以下の式（４）にて示される請求項３に記載の液晶表示装置。
【数３】
2009116037.tif 000022
【数４】
2009116037.tif 000023
ただし、
Ｈ        ：上記断面において、上記第２壁状反射面に対する底である底反射面から
上記第２最外反射端に至るまでの間でのＫ軸に沿う間隔
ｐ        ：上記断面において、上記第２壁状反射面に対する底である底反射面から                上記焦点（ただし、回転変換前）に至るまでの間でのＫ軸に沿う間隔  
ｈ        ：上記断面において、上記第２最外反射端から上記液晶表示パネルに介在                する遮光部材の遮光面に至るまでの間でのＫ軸に沿う間隔
ｗ２      ：上記断面において、上記有効領域部と上記無効領域部との境界に重なる                上記遮光部材の一端から上記第２最外反射端に至るまでの間でのＪ軸に
沿う間隔
θ２      ：上記断面において、上記有効領域部と上記無効領域部との境界に重なる
上記遮光部材の一端から上記第２最外反射端に至る最短の第２仮想線と                、Ｋ軸との間で形成される最小角度
である。
【請求項６】
上記反射部材は、上記の線状光源によって覆われる反射シート、または、上記の線状光源の端を保持する光源保持ホルダである請求項４または５に記載の液晶表示装置。
【発明の詳細な説明】
【技術分野】
【０００１】
本発明は、液晶テレビ等の液晶表示装置に関するものである。
【背景技術】
【０００２】
通常、自発光しない液晶表示パネルを含む液晶表示装置は、バックライトユニットを搭載する。そして、バックライトユニットは、蛍光管等の光源からの直接光、およびその光の一部を反射シートで反射させた反射光を拡散シート等（光学シート）に透過させて出射する。
【０００３】
ここで、光源の光、特に反射シートからの反射光をより有効に利用すべく、特許文献１に記載される液晶表示装置は、反射シートに傾斜を与える。詳説すると、図９Ａのような液晶表示装置１８９の断面図に示すように、バックライトシャーシ１３１の内部にて、壁１３２が底面１３４に対して鈍角に傾斜し、その内側の壁１３２に反射シート１００が覆い被さることで、その反射シート１００の一部分（壁状反射面１００ａ）は傾く（なお、図９Ａは、蛍光管１２２の並列方向に沿い、かつ蛍光管１２２の延び方向に対して交差する断面である）。
【０００４】
また、図９Ｂのような液晶表示装置１８９の断面図に示すように、蛍光管１２２を保持するランプホルダ１２３の側壁１２３ｓが、バックライトシャーシ１３１の底面１３４に対して鈍角に傾斜し、その側壁１２３ｓに反射シート１０が覆い被さることで、その反射シート１００の一部分（壁状反射面１００ｂ）は傾く（なお、図９Ｂは、蛍光管１２２の延び方向に沿い、かつ蛍光管１２２の並列方向に対して交差する断面である）
【０００５】
このような液晶表示装置１８９では、図９Ａおよび図９Ｂに示すように、壁状反射面１００ａ・１００ｂは、蛍光管１２２からの光を液晶表示パネル１１１の有効領域部ｖａに向けて反射進行させる（光ｒａ参照）。
【特許文献１】特開２００７−１２５６９号公報
【発明の開示】
【発明が解決しようとする課題】
【０００６】
しかしながら、拡散シート１２５等の光学シートに近い反射シート１００の壁状反射面１００ａ・１００ｂの一端に到達する光（光ｒｂ）は、反射進行しても、液晶表示パネル１１１の無効領域部ｕａに到達する。そのため、このような液晶表示装置１８９では、輝度が低下しやすく、蛍光管１２２の光が十分に有効利用されているとはいいがたい。
【０００７】
本発明は、上記の状況を鑑みてなされたものである。そして、本発明の目的は、蛍光管等の光源の光を有効利用する液晶表示装置を提供することにある。
【課題を解決するための手段】
【０００８】
液晶表示装置は、並列する線状光源と、それらの線状光源からの光を反射させる反射部材と、その反射部材からの光を画像光として外部に出射する出射する有効領域部、および、有効領域部以外でかつ外周縁部分となる無効領域部を含む液晶表示パネルと、を含む。
【０００９】
ここで、最外に位置する線状光源を最外線状光源、最外線状光源の延び方向に沿って延びるとともに、液晶表示パネルに向いて立ち上がり、最外線状光源の光を反射させる反射部材の一面を第１壁状反射面、第１壁状反射面にて、最も液晶表示パネルに近い端を第１最外反射端、とする。すると、第１壁状反射面は以下のようになる。
【００１０】
すなわち、第１壁状反射面は、線状光源の並列方向に沿い、かつ線状光源の延び方向に対して交差する断面にて、最外線状光源を焦点とする２次曲線状であり、少なくとも、第１最外反射端に到達する最外線状光源からの光を、有効領域部に向かって反射進行させる曲面である。
【００１１】
このようになっていると、最外線状光源からの光が、液晶表示パネルの無効領域部に進行しなくなる。そのため、この液晶表示装置は、最外線状光源の光を有効利用することになり（すなわち、最外線状光源の光の有効利用効率が向上し）、比較的高い輝度を容易に維持する。
【００１２】
なお、以上のような第１壁状反射面を含む液晶表示装置の一例としては、以下のようなものが挙げられる。この一例では、まず、第１壁状反射面は、線状光源の並列方向に沿いかつ線状光源の延び方向に対して交差する断面にて、最外線状光源を焦点とする放物線状である。そして、その断面にて、第１最外反射端を中心とした直交座標系が規定され、液晶表示パネルに平行な座標がＸ軸、そのＸ軸に直交する軸がＹ軸となり、このＸＹ座標系を回転させた座標系がＸ’Ｙ’座標系となる。
【００１３】
そして、第１壁状反射面および最外線状光源の位置は、Ｘ’Ｙ’座標系に基づいて表される。すなわち、第１壁状反射面［Ｒ（Ｘ’，Ｙ’）］は、以下の式（１）にて示される形状の一部分であり、最外線状光源の位置［Ｆ’（Ｘ’，Ｙ’）］は、以下の式（２）にて示される。
【数５】
2009116037.tif 000003
【数６】
2009116037.tif 000004
【００１４】
ただし、
Ｈ        ：上記断面において、第１壁状反射面に対する底である底反射面から第１                最外反射端に至るまでの間でのＹ軸に沿う間隔
ｐ        ：上記断面において、第１壁状反射面に対する底となる一面から焦点（た                だし、回転変換前）に至るまでの間でのＹ軸に沿う間隔
ｈ        ：上記断面において、第１最外反射端から液晶表示パネルに介在する遮光
部材の遮光面に至るまでの間でのＹ軸に沿う間隔
ｗ１      ：上記断面において、有効領域部と無効領域部との境界に重なる遮光部材
の一端から第１最外反射端に至るまでの間でのＸ軸に沿う間隔
θ１      ：上記断面において、有効領域部と無効領域部との境界に重なる遮光部材
の一端から第１最外反射端に至る最短の第１仮想線と、Ｙ軸との間で形                成される最小角度
である。
【００１５】
なお、反射部材は、線状光源によって覆われる反射シート、または、線状光源を収容する収容シャーシであってもよい。
【００１６】
ところで、線状光源は両端以外を蛍光体で覆われており、線状光源における両端と蛍光体との境目を蛍光発光端とし、さらに、線状光源の並列方向に沿って延びるとともに、液晶表示パネルに向いて立ち上がり、並列する線状光源の蛍光発光端の光を反射させる反射部材の一面を第２壁状反射面、その第２壁状反射面にて、最も液晶表示パネルに近い端を第２最外反射端、とすると、上述したような線状光源、反射部材、および有効領域部および無効領域部を含む液晶表示パネルを含む液晶表示装置は、以下のようになっていてもよい。
【００１７】
すなわち、第２壁状反射面は、線状光源の延び方向に沿い、かつ線状光源の並列方向に対して交差する断面にて、蛍光発光端を焦点とする２次曲線状であり、少なくとも、第２最外反射端に到達する蛍光発光端からの光を、有効領域部に向かって反射進行させる曲面であると望ましい。
【００１８】
このようになっていると、蛍光発光端からの光が、液晶表示パネルの無効領域部に進行しなくなる。そのため、この液晶表示装置は、蛍光発光端の光を有効利用することになり（すなわち、蛍光発光端の光の有効利用効率が向上し）、比較的高い輝度を容易に維持する。
【００１９】
なお、以上のような第２壁状反射面を含む液晶表示装置の一例としては、以下のようなものが挙げられる。この一例では、まず、第２壁状反射面は、線状光源の延び方向に沿い、かつ線状光源の並列方向に対して交差する断面にて、蛍光発光端を焦点とする放物線である。そして、その断面にて、第２最外反射端を中心とした直交座標系が規定され、液晶表示パネルに平行な座標がＪ軸、そのＪ軸に直交する軸がＫ軸となり、このＪＫ座標系を回転させた座標系がＪ’Ｋ’座標系となる。
【００２０】
そして、第２壁状反射面および蛍光発光端の位置は、Ｊ’Ｋ’座標系に基づいて表される。すなわち、第２壁状反射面［Ｒ（Ｊ’，Ｋ’）］は、以下の式（３）にて示される形状の一部分であり、蛍光発光端の位置［Ｆ’（Ｊ’，Ｋ’）］は、以下の式（４）にて示される。
【数７】
2009116037.tif 000005
【数８】
2009116037.tif 000006
【００２１】
ただし、
Ｈ        ：上記断面において、第２壁状反射面に対する底である底反射面から第２
最外反射端に至るまでの間でのＫ軸に沿う間隔
ｐ        ：上記断面において、第２壁状反射面に対する底となる一面から焦点（た                だし、回転変換前）に至るまでの間でのＫ軸に沿う間隔
ｈ        ：上記断面において、第２最外反射端から液晶表示パネルに介在する遮光                部材の遮光面に至るまでの間でのＫ軸に沿う間隔
ｗ２      ：上記断面において、有効領域部と無効領域部との境界に重なる遮光部材                の一端から第２最外反射端に至るまでの間でのＪ軸に沿う間隔
θ２      ：上記断面において、有効領域部と無効領域部との境界に重なる遮光部材
の一端から第２最外反射端に至る最短の第２仮想線と、Ｋ軸との間で形                成される最小角度
である。
【００２２】
なお、反射部材は、線状光源によって覆われる反射シート、または、線状光源の端を保持する光源保持ホルダであってもよい。
【発明の効果】
【００２３】
本発明によれば、蛍光管（例えば、最外の蛍光管および各蛍光管の蛍光発光端）からの光の全てが、反射部材に反射された後に、液晶表示パネルの有効領域部に到達する。したがって、光の有効利用を図れる液晶表示装置が実現する。
【発明を実施するための最良の形態】
【００２４】
［実施の形態１］
本発明の実施の一形態について、図１〜図３、および図７・図８に基づいて説明すれば、以下の通りである。なお、便宜上、ハッチング、部材符号等を省略する場合もあるが、かかる場合、他の図面を参照するものとする。また、図面上での黒丸は紙面に対し垂直方向を意味する。
【００２５】
図８は、液晶表示装置８９の分解斜視図である。そして、図１は図８に示される液晶表示装置８９のＡ−Ａ’線矢視断面図である。図１に示すように、液晶表示装置８９は、液晶表示パネル１１と、バックライトユニット２１と、ベゼル５１を含んでいる。
【００２６】
液晶表示パネル１１は、ＴＦＴ（Thin Film Transistor）等のスイッチング素子を含むアクティブマトリックス基板１２と、このアクティブマトリックス基板１２に対向する対向基板１３とをシール材（不図示）で貼り合わせている。そして、両基板１２・１３の隙間に液晶（不図示）が注入される。
【００２７】
そして、この液晶表示パネル１１は非発光型の表示パネルなので、バックライトユニット２１からの光（バックライト光）を受光し、その光を画像光に変換して出射する。なお、この画像光のコントラスト向上のために、液晶表示パネル１１の縁の付近では、ブラックマスクＢＭ（遮光部材）が、アクティブマトリックス基板１２と対向基板１３との間に介在する。
【００２８】
バックライトユニット２１は、バックライト光を生成するために、蛍光管（光源）２２ランプホルダ（光源保持ホルダ）２３、バックライトシャーシ（収容シャーシ）３１、反射シート１０、拡散シート（光学部材）２５、光学シート（光学部材）２６、内蔵シャーシ４１を含んでいる。
【００２９】
蛍光管（線状光源）２２は、線状（棒状、円柱状等）になっており、バックライトユニット２１内に複数本で搭載される（ただし、便宜上、図面では一部の本数のみが示されている）。
【００３０】
なお、蛍光管２２は、後述の図４に示すように、両端以外を蛍光体２２ｃで覆われている（ただし、蛍光体２２ｃ以外の部分は透明色である）。そのため、蛍光管２２の両端からは光は出射しない。したがって、蛍光管２２における両端と蛍光体２２ｃとの境目が光を発する端となる（以降では、この端を蛍光発光端２２ｅと称する）。
【００３１】
ランプホルダ２３は、２個１組のブロック状部材であり、蛍光管２２を保持する。詳説すると、各ランプホルダ２３・２３の側壁２３ｓ・２３ｓが、蛍光管２２の一端と他端とを支えることで、蛍光管２２をバックライトユニット２１に搭載させる（図４参照）。また、より安定的に蛍光管２２をバックライトユニット２１に搭載させるべく、蛍光管２２を把持するランプクリップ（不図示）が含まれていてもよい。
【００３２】
なお、蛍光管１１の種類は限定されることはなく、例えば、冷陰極管や熱陰極管であってもよい。また、以降では、蛍光管２２の並列方向（蛍光管２２が直線状に並ぶ方向）をＤ１方向、蛍光管２２の延び方向をＤ２方向、Ｄ１方向およびＤ２方向の両方向に垂直な方向をＤ３方向と称する。
【００３３】
バックライトシャーシ３１は、対向する壁（対向壁）３２・３２を有する収容体３３と、対向壁３２・３２の先端から収容体３３の底面３４の面内方向と平行で、かつ底面３４離れるように延び出た鍔片３５・３５と、を含む。そして、このバックライトシャーシ３１の収容体３３が、蛍光管２２等の種々部材を収容する。
【００３４】
反射シート１０は、バックライトシャーシ３１の底面３４および対向壁３２・３２を覆うとともに、ランプホルダ２３の側壁２３ｓを覆う反射部材である。そして、この反射シート１０は、バックライトシャーシ３１（詳説すると収容体３３）内に位置する蛍光管２２の光を反射させる。すなわち、反射シート１０は、蛍光管２２から出射される放射状の光（蛍光管２２を中心とした放射状の光）の一部を反射させ、収容体３３の開放面に導く。
【００３５】
拡散シート２５は、光を散乱させる機能および拡散させる機能を有するポリエチレンテレフタレート等の樹脂で形成された部材である。そして、この拡散シート２５は、対向する縁の一部分をバックライトシャーシ３１の鍔片３５・３５に支持させ、残りの対向する縁の部分をランプホルダ２３の天面２３ｕに支持させる（なお、天面２３ｕとは、ランプホルダ２３にて、液晶表示パネル１１側に向く一面のことである）。
【００３６】
つまり、ランプホルダ２３・２３が、対向壁３２・３２の位置しない底面３４の縁に位置することで、それらランプホルダ２３・２３と対向壁３２・３２とが枠状に配置する。そのため、拡散シート２５の縁は、枠状配置のランプホルダ２３・２３および対向壁３２・３２にて支えられる。
【００３７】
すると、拡散シート２５は、並列する蛍光管２２を覆うように位置する。その結果、この拡散シート２５に、蛍光管２２から進行してきた光が入射すると、その光は散乱および拡散し、面内方向にいきわたる。
【００３８】
レンズシート２６は、例えばシート面内にレンズ形状を有し、光の放射特性を偏向させる（集光させる）シートであり、拡散シート２５を覆うように位置する。そのため、光学シート２６において対向する縁は、拡散シート２５を支える鍔片３５・３５にて支えられる。そして、この光学シート２６に、拡散シート２５から進行してきた光が入射すると、その光は集光し、単位面積あたりの発光輝度を向上させる。
【００３９】
内蔵シャーシ４１は、液晶表示パネル１１を支えるとともに、拡散シート２５および光学シート２６を押さえる枠状の部材である。詳説すると、内蔵シャーシ４１は、支持片４２と裾片４３とを含む。
【００４０】
支持片４２は、バックライトシャーシ３１の鍔片３５およびランプホルダ２３の天面２３ｕに支えられる拡散シート２５の縁およびレンズシート２６の縁を覆うとともに、その覆う面の反対（表面）で、液晶表示パネル１１の縁を支える。一方、裾片４３は、支持片４２の外縁から垂れ下がり、バックライトシャーシ３１における収容体３３の対向壁３２を囲む。
【００４１】
ベゼル５１は、液晶表示装置８９としての外装で、内蔵シャーシ４１上に位置する液晶表示パネル１１を挟み込む部材であり、挟持片５２と囲み壁片５３とを含む。
【００４２】
挟持片５２は、内蔵シャーシ４１の支持片４２とで液晶表示パネル１１の縁を挟む。一方、囲み壁片５３は、挟持片５２の外縁から垂れ下がり、内蔵シャーシ４１の裾片４３の外側面を囲む。
【００４３】
そして、以上のようなバックライトユニット２１では、並列する蛍光管２２が、インバータ（不図示）から供給される交流信号によって光を発する。かかる光は、直接拡散シート２５に到達する、もしくは、反射シート１０にて反射した後に拡散シート２５に到達する。さらに、拡散シート２５に到達した光は、拡散されつつ光学シート２６を通過することで発光輝度を高めたバックライト光になって出射する。そして、このバックライト光は、液晶表示パネル１１に到達し、液晶表示パネル１１は画像を表示させる。
【００４４】
なお、液晶表示パネル１１において、画像を表示させる領域、すなわち画像光が外部に向いて出射する領域を有効領域部ＶＡと称する一方、その有効領域部ＶＡ以外で、液晶表示パネル１１の外周縁部分となる領域を無効領域部ＵＡと称する。
【００４５】
ここで、図８に示される反射シート１０の形状（曲面形状）について、図１〜図３、および図７を用いて詳説する。
【００４６】
なお、図２および図３は、図１に示す断面図を基礎にしており、便宜上、バックライトシャーシ３１を省略する。そして、これら図２および図３は、反射シート１０が図１に示すような曲面になる過程の説明に要する断面図である。また、図７は、反射シート１０の形状の説明に用いる放物線を、２次元直交座標系（ｘｙ座標系）に示す説明図である。
【００４７】
まず、図７を用いて説明する。放物線の内部が反射シート１０の反射面１０Ｒとすると、ｙ軸に対して平行方向に進行する光（一点鎖線）は、放物線の焦点ｆに集中する。逆に、焦点ｆが発光源（例えば、蛍光管２２等の光源）の位置であると、焦点ｆから進行する光は、反射面１０Ｒで反射後、ｙ軸に対して平行方向に進行する。
【００４８】
この現象を利用して、反射シート１０の形状が設計される。詳説すると、反射シート１０において、バックライトシャーシ３１の対向壁３２を覆うことになる反射シート１０の一部の形状が設計される。そこで、この反射シート１０の一部を、第１壁状反射面１０Ｒ１として以降に説明する。
【００４９】
ここで、図７の放物線を示す以下の式（式Ａ）を参照しつつ、図２および図３を用いて第１壁状反射面１０Ｒ１について説明する。
【数９】
2009116037.tif 000007
ただし、
焦点ｆ（ｘ，ｙ）が（０，ｐ）であり、ｙ＝−ｐを準線とする放物線
である。
【００５０】
まず、図２に示すように、図８でのＡ−Ａ’線断面、すなわち蛍光管２２の並列方向（Ｄ１）に沿い、かつ蛍光管の延び方向（Ｄ２）に対して交差する断面（Ｄ１Ｄ３断面と称する）にて、２次元の直交座標系を規定する。詳説すると、この直交座標系は、第１壁状反射面１０Ｒ１にて最も液晶表示パネル１１に近い端、すなわち拡散シート２５に接する第１壁状反射面１０Ｒ１の端（以降、第１最外反射端Ｃ１と称する）を中心としている。
【００５１】
そして、この直交座標系は、液晶表示パネル１１に平行な座標をＸ軸、そのＸ軸に直交する座標をＹ軸とし、Ｘ軸にてベゼル５１に近づく方向をＸ（＋）、その逆側をＸ（−）とし、さらに、Ｙ軸にて液晶表示パネル１１に近づく方向をＹ（＋）、その逆側をＹ（−）とする。なお、液晶表示装置８９にて、種々の部材の位置関係は以下のように定義する。
【００５２】
Ｈ        ：Ｄ１Ｄ３断面において、反射シート１０の底面１０Ｒｂから第１最外反                射端Ｃ１に至るまでの間でのＹ軸に沿う間隔
ｐ        ：Ｄ１Ｄ３断面において、反射シート１０の底面１０Ｒｂから蛍光管２２
の径中心（ただし、回転変換前）に至るまでの間でのＹ軸に沿う間隔
ｈ        ：Ｄ１Ｄ３断面において、第１最外反射端Ｃ１からブラックマスクＢＭの
遮光面ＢＭｓに至るまでの間でのＹ軸に沿う間隔
ｗ１      ：Ｄ１Ｄ３断面において、有効領域部ＶＡと無効領域部ＵＡとの境界に重
なるブラックマスクＢＭの端（境界端）ＢＭｅから第１最外反射端Ｃ１
に至るまでの間でのＸ軸に沿う長さ
θ１      ：Ｄ１Ｄ３断面において、有効領域部ＶＡと無効領域部ＵＡとの境界に重
なるブラックマスクＢＭの境界端ＢＭｅから第１最外反射端Ｃ１に至る
最短の第１仮想線ＬＮ１と、Ｙ軸（詳説すると、Ｙ（＋））との間で形                成される最小角度
【００５３】
そして、以上の直交座標系（ＸＹ座標系）にて、反射シート１０の第１壁状反射面１０Ｒ１は放物線状になり、蛍光管２２（詳説すると蛍光管２２の径中心）が焦点となるように設計される。そのため、蛍光管２２の位置Ｆ（Ｘ，Ｙ）は、（−２√Ｈｐ，−（Ｈ−ｐ））となり、第１壁状反射面１０Ｒ１は、以下の式Ｂで表される。
【数１０】
2009116037.tif 000008
【００５４】
なお、この状態では、θ１に基づくｓｉｎθ１およびｃｏｓθ１は、以下のようになる（式Ｃ・式Ｄ）。
【数１１】
2009116037.tif 000009
【数１２】
2009116037.tif 000010
【００５５】
そして、図２に示される第１壁状反射面１０Ｒ１は、光をＹ軸に沿うように反射進行させる。そのため、反射する光の一部が、液晶表示パネル１１の無効領域部ＵＡに到達してしまう。そこで、第１壁状反射面１０Ｒ１は、少なくとも、第１最外反射端Ｃ１に到達する最外の蛍光管２２（最外線状光源）からの光を、液晶表示パネル１１の有効領域部ＶＡに向かって反射進行させる曲面になっている。そして、このような曲面の一例を示した図が、図３および図１になる。
【００５６】
図３および図１に示される第１壁状反射面１０Ｒ１の曲面は、図２に示されるＸＹ座標系での第１壁状反射面１０Ｒ１を回転させる。具体的には、ＸＹ座標系が角度θ１で回転することで、Ｘ’Ｙ’座標系となり、ＸＹ座標系での第１壁状反射面１０Ｒ１も角度θ１で回転することで、Ｘ’Ｙ’座標系に基づいて表現される放物線状（２次曲線状）となる。
【００５７】
したがって、Ｘ’Ｙ’座標系は、以下の式Ｅで表現される。
【数１３】
2009116037.tif 000011
【００５８】
そして、Ｘ’Ｙ’座標系での第１壁状反射面１０Ｒ１［Ｒ（Ｘ’，Ｙ’）］は、ＸＹ座標系の第１壁状反射面１０Ｒ１を用いて、以下の式Ｆ（式１）で表現される。
【数１４】
2009116037.tif 000012
【００５９】
また、Ｘ’Ｙ’座標系での第１壁状反射面１０Ｒ１に対して光を供給する蛍光管２２は、この第１壁状反射面１０Ｒ１を含むＸ’Ｙ’座標系での放物線の焦点でなくてはならない。そのため、ＸＹ座標系における最外の蛍光管２２の位置も、角度θ１で回転する。そして、その回転した蛍光管２２の位置［Ｆ’（Ｘ’，Ｙ’）］は、Ｘ’Ｙ’座標系にて以下のような式Ｇ（式２）で表現される。
【数１５】
2009116037.tif 000013
【００６０】
以上のような液晶表示装置８９であれば、Ｄ１Ｄ３断面にて、第１最外反射端Ｃ１を中心としたＸ’Ｙ’座標系のＹ’軸が、ブラックマスクＢＭの境界端ＢＭｅに重ならず、有効領域部ＶＡに向かって延びる。
【００６１】
そして、このＸ’Ｙ’座標系にて、第１壁状反射面１０Ｒ１は、上記の式Ｆにて表現される放物線を含む形状である。そして、この放物線の焦点には蛍光管２２が位置する。すると、蛍光管２２から進行する光Ｒは、第１壁状反射面１０Ｒ１にて反射し、Ｙ’軸に沿って進行することになる（図１参照）。
【００６２】
そのため、第１壁状反射面１０Ｒ１からの反射光Ｒは、有効領域部ＶＡのみに向かって進行する。したがって、このような液晶表示装置８９は、蛍光管２２（特に最外の蛍光管２２）からの光を無駄にしない（無効領域部ＵＡに反射進行させない）。つまり、この液晶表示装置８９は、光の有効利用率を高くする。なお、最外の蛍光管２２の光が有効利用されることで、規定の輝度を確保するために要する蛍光管２２の総数が減ってもかまわない。
【００６３】
また、図２に示される液晶表示装置８９と図１に示される液晶表示装置８９との比較からわかるように、図１に示される液晶表示装置８９での第１壁状反射面１０Ｒ１は、内蔵シャーシ４１の裾片４３（ひいては、ベゼル５１の囲み壁片５３）に近づく。そのため、内蔵シャーシ４１の支持片４２にて覆われる内部空間内に、第１壁状反射面１０Ｒ１（もちろん対向壁３２）が位置することになる。したがって、この液晶表示装置８９は、内部空間を有効利用している。
【００６４】
また、バックライトシャーシ３１の対向壁３２は互いに離れるように位置するものの、鍔片３５の面積は変化しない。そのため、図１および図２に示される液晶表示装置８９ではともに、拡散シート等は鍔片３５にて安定して保持される。
【００６５】
また、バックライトシャーシの収容体の内部にて、対向壁と底面との間での角度が鈍角で、その対向壁に反射シートが被さる液晶表示装置では、バックライトシャーシの鍔片の面積は比較的小さくなる。しかしながら、かかるような液晶表示装置に比べて、図１に示すような液晶表示装置８９では、鍔片３５は比較的大きい。そのため、図１の液晶表示装置８９では、拡散シート等は鍔片３５にて安定して保持される。
【００６６】
［実施の形態２］
実施の形態２について説明する。なお、実施の形態１で用いた部材と同様の機能を有する部材については同一の符号を付記し、その説明を省略する。
【００６７】
実施の形態１では、蛍光管２２の並列方向（Ｄ１）に沿う断面図である図１〜図３を用いて、最外の蛍光管２２の光を受ける反射シート１０の第１壁状反射面１０Ｒ１を説明した。この実施の形態２では、蛍光管２２の延び方向（Ｄ２）に沿う断面図である図４〜図６を用いて、各蛍光管２２における蛍光発光端２２ｅの光を受ける反射シート１０の第２壁状反射面１０Ｒ２について説明する。
【００６８】
なお、図４は、図８に示される液晶表示装置８９のＢ−Ｂ’線矢視断面図であり、図５および図６は、図４に示す断面図を基礎にしており、便宜上、バックライトシャーシ３１を省略する。そして、これら図５および図６は、反射シート１０が図４に示すような曲面になる過程の説明に要する断面図である。
【００６９】
また、第２壁状反射面１０Ｒ２は、図４に示すように、蛍光管２２の端を保持するランプホルダ２３の側壁２３ｓを覆うことになる反射シート１０の一部である。また、この第２壁状反射面１０Ｒ２にて、最も液晶表示パネル１１に近い端、詳説すると拡散シート２５に接する第２壁状反射面１０Ｒ２の端を、第２最外反射端Ｃ２と称する。
【００７０】
第２壁状反射面１０Ｒ２の形状は、第１壁状反射面１０Ｒ１の形状と同様に、図７に示すような焦点ｆから進行する光が、反射面１０Ｒで反射後、ｙ軸に対して平行方向に進行する現象を利用する。
【００７１】
まず、図５に示すように、図８でのＢ−Ｂ’線断面、すなわち蛍光管の延び方向（Ｄ２）に沿い、かつ蛍光管２２の並列方向（Ｄ１）に対して交差する断面（Ｄ２Ｄ３断面と称する）にて、第２最外反射端Ｃ２を中心とする２次元の直交座標を規定する。
【００７２】
そして、この直交座標系は、液晶表示パネル１１に平行な座標をＪ軸、そのＪ軸に直交する座標をＫ軸とし、Ｊ軸にてベゼル５１に近づく方向をＪ（＋）、その逆側をＪ（−）とし、さらに、Ｋ軸にて液晶表示パネル１１に近づく方向をＫ（＋）、その逆側をＫ（−）とする。なお、液晶表示装置８９にて、種々の部材の位置関係は以下のように定義する（なお、下記の“Ｈ”・“ｐ”・“ｈ”は上記の“Ｈ”・“ｐ”・“ｈ”と同じ長さである）。
【００７３】
Ｈ        ：Ｄ２Ｄ３断面において、反射シート１０の底面１０Ｒｂから第２最外反                射端Ｃ２に至るまでの間でのＫ軸に沿う間隔
ｐ        ：Ｄ２Ｄ３断面において、反射シート１０の底面１０Ｒｂからから蛍光発
光端２２ｅ（ただし、蛍光発光端２２ｅにて蛍光管の径中心位置で、回                転変換前）に至るまでの間でのＫ軸に沿う間隔
ｈ        ：Ｄ２Ｄ３断面において、第２最外反射端Ｃ２からブラックマスクＢＭの
遮光面ＢＭｓに至るまでの間でのＫ軸に沿う間隔
ｗ２      ：Ｄ２Ｄ３断面において、有効領域部ＶＡと無効領域部ＵＡとの境界に重
なるブラックマスクＢＭの端（境界端）ＢＭｅから第２最外反射端Ｃ２
に至るまでの間でのＪ軸に沿う長さ
θ２      ：Ｄ２Ｄ３断面において、有効領域部ＶＡと無効領域部ＵＡとの境界に重
なるブラックマスクＢＭの境界端ＢＭｅから第２最外反射端Ｃ２に至る
最短の第２仮想線ＬＮ２と、Ｋ軸（詳説すると、Ｋ（＋））との間で形                成される最小角度
【００７４】
そして、以上の直交座標系（ＪＫ座標系）にて、反射シート１０の第２壁状反射面１０Ｒ２は放物線状になり、蛍光管２２の蛍光発光端２２ｅ（詳説すると蛍光発光端２２ｅにて蛍光管２２の径中心）が焦点となるように設計される。そのため、蛍光管２２の位置Ｆ（Ｊ，Ｋ）は、（−２√Ｈｐ，−（Ｈ−ｐ））となり、第２壁状反射面１０Ｒ２は、以下の式Ｈで表される。
【数１６】
2009116037.tif 000014
【００７５】
なお、この状態では、θ２に基づくｓｉｎθ２およびｃｏｓθ２は、以下のようになる（式Ｉ・式Ｊ）。
【数１７】
2009116037.tif 000015
【数１８】
2009116037.tif 000016
【００７６】
そして、図５に示される第２壁状反射面１０Ｒ２は、光をＫ軸に沿うように反射進行させる。そのため、反射する光の一部が、液晶表示パネル１１の無効領域部ＵＡに到達してしまう。そこで、第２壁状反射面１０Ｒ２は、少なくとも、第２最外反射端Ｃ２に到達する最外の蛍光管２２からの光を、液晶表示パネル１１の有効領域部ＶＡに向かって反射進行させる曲面になっている。そして、このような曲面の一例を示した図が、図６および図４になる。
【００７７】
図６および図４に示される第２壁状反射面１０Ｒ２の曲面は、図５に示されるＪＫ座標系での第２壁状反射面１０Ｒ２を回転させる。具体的には、ＪＫ座標系が角度θ２で回転することで、Ｊ’Ｋ’座標系となり、ＪＫ座標系での第２壁状反射面１０Ｒ２も角度θ２で回転することで、Ｊ’Ｋ’座標系に基づいて表現される放物線状（２次曲線状）となる。
【００７８】
したがって、Ｊ’Ｋ’座標系は、以下の式Ｋで表現される。
【数１９】
2009116037.tif 000017
【００７９】
そして、Ｊ’Ｋ’座標系での第２壁状反射面１０Ｒ２［Ｒ（Ｊ’，Ｋ’）］は、ＪＫ座標系の第２壁状反射面１０Ｒ２を用いて、以下の式Ｌ（式３）で表現される。
【数２０】
2009116037.tif 000018
【００８０】
また、Ｊ’Ｋ’座標系での第２壁状反射面１０Ｒ２に対して光を供給する蛍光管２２の蛍光発光端２２ｅは、この第２壁状反射面１０Ｒ２を含むＪ’Ｋ’座標系での放物線の焦点でなくてはならない。そのため、ＪＫ座標系の蛍光発光端２２ｅの位置も、角度θ２で回転する。そして、その回転した蛍光管２２の位置［Ｆ’（Ｊ’，Ｋ’）］は、Ｊ’Ｋ’座標系にて以下のような式Ｍ（式４）で表現される。
【数２１】
2009116037.tif 000019
【００８１】
以上のような液晶表示装置８９であれば、Ｄ２Ｄ３断面にて、第２最外反射端Ｃ２を中心としたＪ’Ｋ’座標系のＫ’軸が、ブラックマスクＢＭの境界端ＢＭｅに重ならず、有効領域部ＶＡに向かって延びる。
【００８２】
そして、このＪ’Ｋ’座標系にて、第２壁状反射面１０Ｒ２は、上記の式Ｌにて表現される放物線を含む形状である。そして、この放物線の焦点には蛍光管２２の蛍光発光端２２ｅが位置する。すると、蛍光発光端２２ｅから進行する光は、第２壁状反射面１０Ｒ２にて反射し、Ｋ’軸に沿って進行することになる。
【００８３】
そのため、第２壁状反射面１０Ｒ２からの反射光Ｒは、有効領域部ＶＡのみに向かって進行する（図４参照）。したがって、このような液晶表示装置８９は、蛍光発光端２２ｅからの光を無駄にしない。そのため、実施の形態１同様に、規定の輝度を確保するために要する蛍光管２２の総数が減ってもかまわない。
【００８４】
また、図５に示される液晶表示装置８９と図４に示される液晶表示装置８９との比較からわかるように、図４に示される液晶表示装置８９での第２壁状反射面１０Ｒ２が、内蔵シャーシ４１の裾片４３（ひいては、ベゼル５１の囲み壁片５３）に近づく。そのため、内蔵シャーシ４１の支持片４２にて覆われる内部空間内に、第２壁状反射面１０Ｒ２（もちろんランプホルダ２３）が位置することになる。したがって、この液晶表示装置８９は、内部空間を有効利用している。
【００８５】
また、ランプホルダ２３の側壁２３ｓは互いに離れるように位置するものの、天面２３ｕの面積は変化しない。そのため、図４および図５に示される液晶表示装置８９ではともに、拡散シート等は鍔片３５にて安定して保持される。
【００８６】
なお、以上の説明では、焦点は、蛍光発光端２２ｅでの蛍光管２２の径中心に位置していた。しかし、これに限定されるものではない。例えば、蛍光発光端２２ｅでの蛍光管２２の上端（蛍光発光端２２ｅにおいて最も液晶表示パネル１１に近い端）が焦点になってもよい。また、蛍光発光端２２ｅでの蛍光管２２の下端（蛍光発光端２２ｅにおいて最も反射シート１０の底面１０Ｒｂに近い端）が焦点になってもよい。要は、蛍光発光端２２ｅに含まれる箇所であれば、どこが焦点になってもかまわない。
【００８７】
［その他の実施の形態］
なお、本発明は上記の実施の形態に限定されず、本発明の趣旨を逸脱しない範囲で、種々の変更が可能である。
【００８８】
例えば、以上の第１壁状反射面１０Ｒ１を備える反射シート１０だけを搭載した液晶表示装置８９、および、以上の第２壁状反射面１０Ｒ２を備える反射シート１０だけを搭載した液晶表示装置８９であっても本発明といえる。要は、第１壁状反射面１０Ｒ１および第２壁状反射面１０Ｒ２の少なくとも一方が、液晶表示装置８９に含まれていればよい。
【００８９】
また、実施の形態１での液晶表示装置８９では、バックライトシャーシ３１の対向壁３２を覆う反射シート１０の第１壁状反射面１０Ｒ１が曲面になっていた。しかし、バックライトシャーシ３１の構成部材自体が、反射機能を有する樹脂または金属等であれば、第１壁状反射面１０Ｒ１を除いてもよい。このようになっていても、曲面状の対向壁３２が、第１壁状反射面１０Ｒ１と同様の働きをするためである。
【００９０】
また、実施の形態２での液晶表示装置８９では、ランプホルダ２３の対向壁３２を覆う反射シート１０の第２壁状反射面１０Ｒ２が曲面になっていた。しかし、ランプホルダ２３の構成部材自体が、反射機能を有する樹脂等であれば、第２壁状反射面１０Ｒ２を除いてもよい。このようになっていても、ランプホルダ２３の曲面状の側壁２３ｓが、第２壁状反射面１０Ｒ２と同様の働きをするためである。
【００９１】
また、以上では、第１壁状反射面１０Ｒ１および第２壁状反射面１０Ｒ２は、曲面であったが、これに限定されるものではない。すなわち、第１壁状反射面１０Ｒ１および第２壁状反射面１０Ｒ２は平面であってもよい。
【００９２】
要は、第１壁状反射面１０Ｒ１は第１最外蛍光端Ｃ１からの光を液晶表示パネル１１の有効領域部ＶＡに向けて反射進行させられればよく、第２壁状反射面１０Ｒ２は蛍光発光端２２ｅからの光を液晶表示パネル１１の有効領域部ＶＡに向けて反射進行させられればよい。
【図面の簡単な説明】
【００９３】
【図１】は、図８に示される液晶表示装置のＡ−Ａ’線矢視断面図である。
【図２】は、図１に示す断面図を基礎にしており、反射シートが図１に示すような曲面になる過程の説明に要する断面図である。
【図３】は、図１に示す断面図を基礎にしており、反射シートが図１に示すような曲面になる過程の説明に要する断面図である。
【図４】は、図８に示される液晶表示装置のＢ−Ｂ’線矢視断面図である。
【図５】は、図４に示す断面図を基礎にしており、反射シートが図４に示すような曲面になる過程の説明に要する断面図である。
【図６】は、図４に示す断面図を基礎にしており、反射シートが図４に示すような曲面になる過程の説明に要する断面図である。
【図７】は、反射シートの形状の説明に用いる放物線を、２次元直交座標系（ｘｙ座標系）に示す説明図である。
【図８】は、液晶表示装置の分解斜視図である。
【図９】では、（Ａ）は蛍光管の並列方向に沿いかつ蛍光管の延び方向に対して交差する断面にて、従来の液晶表示装置を示す断面図であり、（Ｂ）は蛍光管の延び方向に沿いかつ蛍光管の並列方向に対して交差する断面にて、従来の液晶表示装置を示す断面図である。
【符号の説明】
【００９４】
１０      反射シート（反射部材）
１０Ｒ    反射面
１０Ｒ１  第１壁状反射面
１０Ｒ２  第２壁状反射面
１０Ｒｂ  反射シートの底面（底反射面）
Ｃ１      第１最外反射端
Ｃ２      第２最外反射端
１１      液晶表示パネル
ＶＡ      有効領域部
ＵＡ      無効領域部
ＢＭ      ブラックマスク（遮光部材）
ＢＭｓ    ブラックマスクの遮光面
ＢＭｅ    有効領域部と無効領域部との境界に重なるブラックマスクの一端
２１      バックライトユニット
２２      蛍光管（線状光源）
２２ｃ    蛍光体
２２ｅ    蛍光発光端
２３      ランプホルダ（光源保持ホルダ、反射部材）
２３ｓ    ランプクホルダの側壁
２５      拡散シート
２６      レンズシート
３１      バックライトシャーシ（収容シャーシ、反射部材）
３２      対向壁（反射部材）
３３      収容体（反射部材）
３４      バックライトシャーシの底面（反射部材）
３５      鍔片
４１      内蔵シャーシ
４２      支持片
４３      裾片
５１      ベゼル
５２      挟持片
５３      囲み壁片
ＬＮ１    第１仮想線
ＬＮ２    第２仮想線
Ｄ１      蛍光管の並列方向
Ｄ２      蛍光管の延び方向
Ｄ３      Ｄ１方向およびＤ２方向に対する直交方向
【図１】
2009116037.tif 000024
【図２】
2009116037.tif 000025
【図３】
2009116037.tif 000026
【図４】
2009116037.tif 000027
【図５】
2009116037.tif 000028
【図６】
2009116037.tif 000029
【図７】
2009116037.tif 000030
【図８】
2009116037.tif 000031
【図９】
2009116037.tif 000032